(57)【要約】【課題】各フィルタの通過帯域の損失を低減しやすい複合型フィルタ装置を提供する。【解決手段】複合型フィルタ装置１２０は、共通端子１２と、送信側端子１３と、受信側端子１５と、送信用フィルタ１００と、送信用フィルタ１００の通過帯域より高域の通過帯域をもつ受信用フィルタ２００とを備える。送信用フィルタ１００は共通端子１２と送信側端子１３との間に、受信用フィルタ２００は共通端子１２と受信側端子１５との間に接続される。共通端子１２と受信側端子１５とを結ぶ経路上において、共通端子１２と受信用フィルタ２００との間にインダクタ１４が設けられる。受信用フィルタ２００において共通端子１２に最も近い共振器である並列腕共振器２０６の共振周波数は、送信用フィルタ１００の通過帯域の高域端周波数より低く、かつ、受信用フィルタ２００が備える他の並列腕共振器のいずれの共振周波数よりも低い。【選択図】図１
2019029996.tif 000002
【特許請求の範囲】
【請求項１】
共通端子と、
第１端子と、
第２端子と、
前記共通端子と前記第１端子との間に接続され、第１通過帯域を有する第１フィルタと、
前記共通端子と前記第２端子との間に接続され、前記第１通過帯域より高域である第２通過帯域を有する第２フィルタと、
前記共通端子と前記第２フィルタとの間に設けられた第１インダクタと、
を備える複合型フィルタ装置であって、
前記第２フィルタは、１以上の直列腕回路と、２以上の並列腕共振器と、を有し、
前記１以上の直列腕回路は、前記共通端子と前記第２端子とを結ぶ経路上で互いに直列に接続され、
前記２以上の並列腕共振器は、
前記１以上の直列腕回路のうち前記共通端子に最も近い第１直列腕回路と前記第１インダクタとを結ぶ経路上のノードと、基準端子と、に接続された第１並列腕共振器と、
前記第１直列腕回路と前記第２端子とを結ぶ経路上のノードと、基準端子と、に接続された１以上の他の並列腕共振器と、
を含み、
前記第１並列腕共振器の反共振周波数は、前記第２通過帯域内に位置しており、
前記第１並列腕共振器の共振周波数は、前記第１通過帯域の高域端周波数より低く、かつ、前記１以上の他の並列腕共振器のいずれの共振周波数よりも低い、
複合型フィルタ装置。
【請求項２】
前記第２フィルタは第１並列腕共振回路を備え、
前記第１並列腕共振回路は、
前記第１並列腕共振器と、前記第１並列腕共振器が接続された前記基準端子とを結ぶ経路上に設けられた第２インダクタを備える、請求項１に記載の複合型フィルタ装置。
【請求項３】
前記第２インダクタは、前記第１並列腕共振器と前記第１並列腕共振器が接続された前記基準端子とを結ぶ経路上のみに設けられた、請求項２に記載の複合型フィルタ装置。
【請求項４】
前記第１並列腕共振回路の共振周波数は、前記第１通過帯域の低域端周波数より低い、請求項２または３のいずれかに記載の複合型フィルタ装置。
【請求項５】
前記複合型フィルタ装置において、
前記共通端子側から前記第２フィルタ単体を見たインピーダンスが、前記第１通過帯域において少なくとも一部がオープン状態となっている、請求項１〜４のいずれかに記載の複合型フィルタ装置。
【請求項６】
前記第１フィルタは複数の共振器を備え、
前記第１フィルタにおける前記複数の共振器のうち、前記共通端子に最も近い共振器は、直列腕共振器である、請求項１〜５のいずれかに記載の複合型フィルタ装置。
【請求項７】
前記複合型フィルタ装置はさらに、
第３端子と、
前記共通端子と前記第３端子との間に接続され、前記第２通過帯域より高域である第３通過帯域を有する第３フィルタと、
前記共通端子と前記第３フィルタとの間に設けられた第３インダクタと、
を備え、
前記第３フィルタは、１以上の直列腕回路と、２以上の並列腕共振器と、を有し、
前記第３フィルタにおける前記１以上の直列腕回路は、前記共通端子と前記第３端子とを結ぶ経路上で互いに直列に接続され、
前記第３フィルタにおける前記２以上の並列腕共振器は、
前記第３フィルタにおける前記１以上の直列腕回路のうち前記共通端子に最も近い第２直列腕回路と前記第３インダクタとを結ぶ経路上のノードと、基準端子と、に接続された第２並列腕共振器と、
前記第２直列腕回路と前記第３端子とを結ぶ経路上のノードと、基準端子と、に接続された１以上の他の並列腕共振器と、
を含み、
前記第２並列腕共振器と、前記第２並列腕共振器が接続された前記基準端子と、を結ぶ経路上には、第４インダクタが設けられ、
少なくとも前記第２並列腕共振器と前記第４インダクタとにより第２並列腕共振回路が形成されており、
前記第２並列腕共振回路の反共振周波数は、前記第３通過帯域内に位置しており、
前記第２並列腕共振回路の共振周波数は、前記第１通過帯域の前記高域端周波数より低く、かつ、前記第３フィルタにおける前記１以上の他の並列腕共振器の共振周波数よりも低い、請求項１〜６のいずれかに記載の複合型フィルタ装置。
【請求項８】
前記第２並列腕共振回路の共振周波数は、前記第１通過帯域の前記低域端周波数より低い、請求項７に記載の複合型フィルタ装置。
【請求項９】
請求項１〜８のいずれかに記載の複合型フィルタ装置と、
前記複合型フィルタ装置に接続された増幅回路と、を備える、
高周波フロントエンド回路。
【請求項１０】
アンテナ素子で送受信される高周波信号を処理するＲＦ信号処理回路と、
前記アンテナ素子と前記ＲＦ信号処理回路との間で前記高周波信号を伝達する請求項９に記載の高周波フロントエンド回路と、を備える、
通信装置。
【発明の詳細な説明】
【技術分野】
【０００１】
本発明は、複数のフィルタを備えた複合型フィルタ装置、高周波フロントエンド回路、および、通信装置に関する。
【背景技術】
【０００２】
近年の移動体通信装置では、一端末で複数の周波数帯域に対応する、いわゆるマルチバンド化が要求されている。このような要求に対応すべく、１つのアンテナに対し、互いに通過帯域の異なる複数のフィルタを接続する複合型フィルタ装置が開発されている。
【０００３】
そのような複合型フィルタ装置の例として、特許文献１には、送受信共通端子に、第１フィルタと、第１フィルタの通過周波数帯域より高い通過周波数帯域を有する第２フィルタとが接続された分波器が示されている。第１フィルタおよび第２フィルタはそれぞれ、直列腕共振器と、直列腕共振器と接地との間に配置された並列腕共振器とを備えている。さらに送受信共通端子と第１フィルタとの間には、移相器が接続されている。
【先行技術文献】
【特許文献】
【０００４】
【特許文献１】特開２００８−２９４７８０号公報
【発明の概要】
【発明が解決しようとする課題】
【０００５】
特許文献１にあるように、第２フィルタが第１フィルタと共に共通端子に接続されると、第１フィルタを通過する信号の一部が第２フィルタ側に漏洩する場合がある。なぜならば、第２フィルタの通過帯域より低域である第１フィルタの通過帯域において移相器の誘導成分が小さくなるため、第２フィルタを共通端子側から見た場合に、第２フィルタのインピーダンス小さくなりやすいためである。当該インピーダンスが低いと、第１フィルタの通過帯域において第２フィルタに漏洩する信号が生じてしまう。
【０００６】
信号の漏洩を防ぐためには、移相器の誘導成分を大きくして共通端子側から見た第２フィルタのインピーダンスを、第１フィルタの通過周波数帯域において充分に高めれば（オープン状態、すなわち正規化インピーダンスの実数成分あるいは虚数成分の少なくとも一方が無限大（∞）となるようにすれば）よい。しかしながら移相器の誘導成分を大きくすると、移相器の挿入損失が増加するため、第２フィルタの通過帯域の損失が増加することがあった。
【０００７】
そこで、本発明は、上記課題を解決するためになされたものであって、各フィルタの通過帯域の損失を低減しやすい複合型フィルタ装置、高周波フロントエンド回路、および、通信装置を提供することを目的とする。
【課題を解決するための手段】
【０００８】
上記目的を達成するために、本発明の一態様に係る複合型フィルタ装置は、共通端子と、第１端子と、第２端子と、共通端子と第１端子との間に接続され、第１通過帯域を有する第１フィルタと、共通端子と第２端子との間に接続され、第１通過帯域より高域である第２通過帯域を有する第２フィルタと、共通端子と第２フィルタとの間に設けられた第１インダクタとを備える複合型フィルタ装置であって、第２フィルタは、１以上の直列腕回路と、２以上の並列腕共振器とを有し、１以上の直列腕回路は、共通端子と第２端子とを結ぶ経路上で互いに直列に接続され、２以上の並列腕共振器は、直列腕回路のうち共通端子に最も近い第１直列腕回路と第１インダクタとを結ぶ経路上のノードと、基準端子とに接続された、第１並列腕共振器と、第１直列腕回路と第２端子とを結ぶ経路上のノードと基準端子とに接続された１以上の他の並列腕共振器とを含み、第１並列腕共振器の反共振周波数は、第２通過帯域内に位置しており、第１並列腕共振器の共振周波数は、第１通過帯域における高域端周波数より低く、かつ、１以上の他の並列腕共振器のいずれの共振周波数よりも低い。
【０００９】
上記構成によれば、共通端子側から見た第２フィルタのインピーダンスを、インピーダンスの位相を進める機能をもつ素子である第１インダクタの誘導成分、および、第１並列腕共振器の誘導成分の双方を用いて、オープン状態に近づくよう調整できる。そのため、上記位相を進める機能をもつ素子の誘導成分のみを用いて位相を調整するときに比べて、当該素子の誘導成分を低減できる。従って、第２フィルタの通過帯域の損失を増加させずに、第１フィルタの通過帯域の損失を低減できる。
【００１０】
なお、上記位相を進める機能をもつ素子として、配線でも構成可能なインダクタを設けることにより、移相器を設ける場合に比べて複合型フィルタ装置のサイズの小型化も見込める。
【００１１】
また、上記第２フィルタは、第１並列腕共振回路を備え、第１並列腕共振回路は、第１並列腕共振器と、第１並列腕共振器と第１並列腕共振器が接続された基準端子とを結ぶ経路上に設けられた第２インダクタを備えていると好ましい。
【００１２】
上記構成によれば、第２フィルタ中に、第１並列腕共振器の共振周波数より低い共振周波数を有する第１並列腕共振回路が形成される。当該第１並列腕共振回路の誘導成分は第１並列腕共振器単体に比べて増加する。従って、共通端子側から見た第２フィルタのインピーダンスは、第１フィルタの通過帯域において位相がより進んでオープン状態に近づくため、第１フィルタの通過帯域の損失をより低減できる。
【００１３】
また、第２インダクタは、第１並列腕共振器と、第１並列腕共振器が接続された基準端子とを結ぶ経路上のみに設けられていると好ましい。
【００１４】
上記構成によれば、第１並列腕共振器に加わる第２インダクタの誘導成分の大きさは、インダクタが他の並列腕共振器の２つ以上の並列腕共振器に接続される場合に比べて増加する。つまり、上記構成では、第１並列腕共振回路の誘導成分がより増えるため、第２フィルタのインピーダンスの位相はスミスチャート上で時計回りにより大きく進む。従って、当該インピーダンスは、第１フィルタの通過帯域においてオープン状態にさらに近づくため、第１フィルタの通過帯域の損失をより低減できる。
【００１５】
また、上記第１並列腕共振回路の共振周波数は、第１通過帯域の低域端周波数より低いと好ましい。
【００１６】
上記構成によれば、第１フィルタの通過帯域の全域が誘導性となる程度まで、第１並列腕共振回路の誘導成分が増加する。そのため、共通端子側から見た第２フィルタのインピーダンスは、第１フィルタの通過帯域において、スミスチャート上の位相が大きく進む。すなわち、当該インピーダンスは、第１フィルタの通過帯域においてオープン状態にさらに近づくため、第１フィルタの通過帯域の損失をより低減できる。
【００１７】
さらに、上記複合型フィルタ装置において、共通端子側から第２フィルタ単体を見たインピーダンスが、第１通過帯域において少なくとも一部がオープン状態となっていると好ましい。
【００１８】
また、上記第１フィルタは、複数の共振器を備え、第１フィルタにおける複数の共振器のうち共通端子に最も近い共振器は、直列腕共振器であると好ましい。
【００１９】
フィルタが備える共振器のうち並列腕共振器は、フィルタの低域側の通過特性（通過帯域および減衰帯域）を形成する共振器である。そのような共振器を第１フィルタにおいて共通端子に最も近い共振器とすると、第１フィルタの通過帯域より高域である第２フィルタの通過帯域において、共通端子側から見た第１フィルタのインピーダンスはオープン状態より低くなる。このような構成では第２フィルタの損失が増加するため、インピーダンスの位相を進める機能をもつ素子を共通端子と第１フィルタとの間に設け、インピーダンスを高めて第２フィルタの損失特性悪化を防いでいる。
【００２０】
これに対して上記構成によれば、共通端子に最も近い共振器は、フィルタの高域側の通過特性（通過帯域および減衰帯域）を形成する直列腕共振器である。この場合、第１フィルタのインピーダンスは第２フィルタの通過帯域において高まるため、共通端子と第１フィルタとの間に上記素子を設けなくとも、第２フィルタの通過帯域の信号は減衰される。従って、並列腕共振器を共通端子に最も近い位置に設ける場合に比べて、複合型フィルタ装置のサイズを小型化できる。
【００２１】
また、上記複合型フィルタ装置はさらに、第３端子と、共通端子と第３端子との間に接続され、第２通過帯域より高域である第３通過帯域を有する第３のフィルタと、共通端子と第３フィルタとの間に設けられた第３インダクタとを備え、第３フィルタは、１以上の直列腕回路と、２以上の並列腕共振器とを有し、第３フィルタにおける１以上の直列腕回路は、共通端子と第３端子とを結ぶ経路上で互いに直列に接続され、第３フィルタにおける２以上の並列腕共振器は、第３フィルタにおける１以上の直列腕回路のうち共通端子に最も近い第２直列腕回路と第３インダクタとを結ぶ経路上のノードと基準端子とに接続された第２並列腕共振器と、第２直列腕回路と第３端子とを結ぶ経路上のノードと基準端子とに接続された１以上の他の並列腕共振器とを含み、第２並列腕共振器と第２並列腕共振器が接続された基準端子とを結ぶ経路には第４インダクタが設けられ、少なくとも第２並列腕共振器と第４インダクタとにより第２並列腕共振回路が形成されており、第２並列腕共振回路の反共振周波数は、第３通過帯域内に位置しており、第２並列腕共振回路の共振周波数は、第１通過帯域の高域端周波数より低く、かつ、第３フィルタにおける１以上の他の並列腕共振器よりも低くてもよい。
【００２２】
少なくとも３つのフィルタが共通端子にまとめて接続された複合型フィルタ装置において、３つのフィルタのうち最も高域の通過帯域を有する第３フィルタには、第１フィルタと第２フィルタとを通過する２種類の信号がそれぞれ回り込む恐れがある。ここで、共通端子と第３フィルタとの間に第２インダクタを設ければ、共通端子側から見た第３フィルタのインピーダンスは、第１フィルタの通過帯域および第２フィルタの通過帯域双方において、スミスチャート上で時計回りに回転して位相が進む。
【００２３】
このとき、上記構成によれば、第２インダクタの誘導成分、および、共通端子に最も近い第２並列腕共振器の誘導成分の双方を用いて、第３フィルタのインピーダンスの位相を進めてオープン状態に近づけることができる。
【００２４】
ここで、第２並列腕共振器に第４インダクタを接続することで、第２並列腕共振器単体に比べて誘導成分が増加した第２並列腕共振回路を形成できる。このとき当該誘導成分が、第２フィルタの通過帯域と、第２フィルタの通過帯域より低域にある第１フィルタの通過帯域との双方を誘導性とする程度まで増加すれば、両通過帯域におけるインピーダンスの位相を進めてオープン状態に近づけることができる。従って、上記構成によれば３以上のフィルタを備える複合型フィルタ装置においても、各フィルタの通過帯域の損失を低減できる。
【００２５】
また、第２並列腕共振回路の共振周波数は、第１通過帯域の低域端周波数より低いと好ましい。
【００２６】
上記構成によれば、第３フィルタにおける第２並列腕共振回路の誘導成分が、第２フィルタの通過帯域より低域である第１フィルタの通過帯域全域を誘導性とする程度まで増加している。従って、第１フィルタおよび第２フィルタの通過帯域において、インピーダンスの位相を進めてオープン状態により近づけることができ、第３フィルタの通過帯域の損失をより低減できる。
【００２７】
また、本発明の一態様に係る高周波フロントエンド回路は、上記複合型フィルタ装置と、上記複合型フィルタ装置に接続された増幅回路とを備える。
【００２８】
さらに、本発明の一態様に係る通信装置は、アンテナ素子で送受信される高周波信号を処理するＲＦ信号処理回路と、アンテナ素子とＲＦ信号処理回路との間で高周波信号を伝達する上記高周波フロントエンド回路とを備える。
【発明の効果】
【００２９】
本発明に係る複合型フィルタ装置、高周波フロントエンド回路および通信装置によれば、それぞれが備える各フィルタの通過帯域の損失を低減しやすくすることが可能となる。
【図面の簡単な説明】
【００３０】
【図１】第１の実施形態の実施例１に係る複合型フィルタ装置の回路構成を示す回路図である。
【図２】比較例１に係る複合型フィルタ装置において、共通端子側から見た受信用フィルタにおけるインピーダンスを示すスミスチャートである。
【図３】第１の実施形態の実施例１に係る複合型フィルタ装置において、共通端子側から見た受信用フィルタにおけるインピーダンスを示すスミスチャートである。
【図４】比較例２に係る複合型フィルタ装置において、共通端子側から見た受信用フィルタにおけるインピーダンスを示すスミスチャートである。
【図５】比較例２に係る複合型フィルタ装置、および、実施例１に係る複合型フィルタ装置における受信用フィルタの通過特性を示す図である。
【図６】第１の実施形態の実施例２に係る複合型フィルタ装置が備える受信用フィルタの回路構成を示す回路図である。
【図７】第１の実施形態の実施例２に係る複合型フィルタ装置において、共通端子側から見た受信用フィルタにおけるインピーダンスを示すスミスチャートである。
【図８】比較例１、第１の実施形態の実施例１および実施例２に係る複合型フィルタ装置における送信用フィルタの通過特性を示す図である。
【図９】第１の実施形態の変形例に係る複合型フィルタ装置が備える第１フィルタの回路構成を示す回路図である。
【図１０】第２の実施形態に係る複合型フィルタ装置の回路構成を示す回路図である。
【図１１】高周波フロントエンド回路および通信装置の回路構成を示す回路図である。
【発明を実施するための形態】
【００３１】
以下、本発明の実施の形態について、図面を用いて詳細に説明する。なお、以下で説明する実施の形態は、いずれも包括的または具体的な例を示すものである。以下の実施の形態で示される数値、形状、構成要素、構成要素の配置および接続形態などは、一例であり、本発明を限定する主旨ではない。以下の実施の形態における構成要素のうち、独立の請求項に記載されていない構成要素については、任意の構成要素として説明される。
【００３２】
《第１の実施形態》
本発明の第１の実施形態に係る複合型フィルタ装置について、Ｂａｎｄ２５（送信通過帯域：１８５０−１９１５ＭＨｚ、受信通過帯域：１９３０−１９９５ＭＨｚ）に適用されるデュプレクサを例に、図１〜９を参照して説明する。
【００３３】
〈実施例１〉
図１は、本発明の第１の実施形態の実施例１に係る複合型フィルタ装置１２０の回路構成を示す、回路図である。同図に示すように、複合型フィルタ装置１２０は、共通端子１２と、送信側端子１３と、インダクタ１４と、受信側端子１５と、送信用フィルタ１００と、受信用フィルタ２００とを備える。複合型フィルタ装置１２０は、共通端子１２を介してアンテナ素子（不図示）などに接続されている。
【００３４】
送信用フィルタ１００は、送信回路（ＲＦＩＣなど）で生成された送信信号を、Ｂａｎｄ２５の送信通過帯域（１８５０−１９１５ＭＨｚ）でフィルタリングする、バンドパスフィルタである。送信信号は、送信側端子１３を経由して送信用フィルタ１００へと入力され、共通端子１２へ出力される。
【００３５】
同図に示すように、送信用フィルタ１００は、直列腕共振器１０１〜１０５、並列腕共振器１０６〜１０９、インダクタ１１６〜１１９を備える。直列腕共振器１０１〜１０５は、共通端子１２と送信側端子１３とを結ぶ経路上に設けられている。並列腕共振器１０６〜１０９は、共通端子１２と送信側端子１３とを結ぶ経路上のノードと、基準端子（グランド）とを結ぶ経路上に設けられている。これら複数の共振器１０１〜１０９のうち、共通端子１２に最も近い共振器は、直列腕共振器１０１となっている。なお、本明細書において「共通端子に最も近い」とは、「共通端子に電気回路的に最も近い」ことを指す。また、インダクタ１１６〜１１９は並列腕共振器１０６〜１０９と基準端子とにそれぞれ接続され、並列腕共振器１０６〜１０９とともに並列腕共振回路１６〜１９を構成している。
【００３６】
受信用フィルタ２００は、アンテナ素子（不図示）などから受信された受信信号をＢａｎｄ２５の送信通過帯域より高域（高周波数域）であるＢａｎｄ２５の受信通過帯域（１９３０−１９９５ＭＨｚ）でフィルタリングする、バンドパスフィルタである。このとき受信信号は、共通端子１２から受信用フィルタ２００へと入力され、受信側端子１５へ出力される。共通端子１２と受信側端子１５とを結ぶ経路上において共通端子１２と受信用フィルタ２００との間には、インダクタ１４が設けられている。
【００３７】
同図に示すように、受信用フィルタ２００は、直列腕共振器２０１〜２０４と、並列腕共振器２０６〜２０９とを備える。本図では直列腕回路は全て直列腕共振器となっているが、例えば縦結合型フィルタ部などを用いてもよい。直列腕共振器２０１〜２０４は、共通端子１２と送信側端子１３とを結ぶ経路上に設けられている。並列腕共振器２０６〜２０９は、共通端子１２と送信側端子１３とを結ぶ経路上のノードと、基準端子（グランド）とを結ぶ経路上に設けられている。並列腕共振器２０６は、直列腕共振器２０１〜２０４のうち共通端子に最も近い直列腕共振器２０１とインダクタ１４とを結ぶ経路上のノードと、基準端子とを結ぶ経路上に設けられている。並列腕共振器２０７〜２０９は直列腕共振器２０１と受信側端子１５とを結ぶ経路上のノードと、基準端子とを結ぶ経路上にそれぞれ設けられている。すなわち、受信用フィルタ２００が備える複数の共振器２０１〜２０４、２０６〜２０９のうち共通端子１２に最も近い共振器は、並列腕共振器２０６となっている。
【００３８】
本実施形態に係る複合型フィルタ装置１２０は、受信用フィルタ２００について、（１）共通端子１２と受信用フィルタ２００との間にインダクタ１４が設けられている、（２）並列腕共振器２０６の共振周波数が送信用フィルタ１００の通過帯域における高域端周波数より低い、（３）並列腕共振器２０６の共振周波数が他の並列腕共振器２０７〜２０９のいずれの共振周波数よりも低い。
【００３９】
上記構成を有する複合型フィルタ装置１２０では、受信用フィルタ２００の通過帯域の損失を劣化させずに、送信用フィルタ１００の通過帯域の損失を低減させることが可能となる。
【００４０】
本実施形態のように、通過帯域が互いに異なる複数のフィルタが共通端子にまとめて接続されている複合型フィルタ装置では、フィルタ同士が影響を及ぼし合って通過特性が劣化する。特に、複数のフィルタのうち、相対的に低域である通過帯域を有するフィルタ（以下、低域フィルタと称する。）を通過する信号の一部が、相対的に高域である通過帯域を有するフィルタ（以下、高域フィルタと称する。）に漏洩し、低域フィルタの通過帯域の損失が悪化するという問題が生じやすい。
【００４１】
この問題は、共通端子側から見た高域フィルタのインピーダンスが、低域フィルタの通過帯域において充分に高くならない（オープン状態にならない）ために生じる。当該インピーダンスが低いと、低域フィルタの通過帯域において高域フィルタに漏洩する信号が生じてしまう。
【００４２】
高域フィルタのインピーダンスが、低域フィルタの通過帯域において低くなるのは、フィルタの低域側の減衰帯域を形成するのが共振器の反共振周波数ではなく、共振周波数であることが要因である。
【００４３】
共振器を備えるフィルタにおいて、通過帯域高域側の減衰帯域は共振器の反共振周波数を用いて形成される一方、通過帯域低域側の減衰帯域は共振器の共振周波数を用いて形成される。このような共振器を備えるフィルタは、その通過帯域および減衰帯域において、共振器が有する容量成分および誘導成分の影響を受けるフィルタとなる。具体的には、共振器の共振周波数より低い周波数帯域、および、共振器の反共振周波数より高い周波数帯域は容量成分の影響を受けて容量性の帯域となる。一方、共振周波数と反共振周波数との間の周波数帯域は、誘導成分の影響を受けて誘導性の帯域となる。
【００４４】
このとき誘導性となる帯域において、反共振周波数に近い帯域ほど誘導成分の影響が大きくなって誘導性が強くなり、共振周波数に近い帯域ほど誘導成分の影響は小さくなって誘導性が弱くなる。そのため、上記フィルタを複数個備える複合型フィルタ装置において共通端子側から見た各フィルタのインピーダンスは、誘導性が相対的に強い通過帯域高域側の減衰帯域では高く（オープン状態付近に）なりやすい。一方、誘導性が相対的に弱い通過帯域低域側の減衰帯域では低く（ショート状態付近に）なりやすい。したがって、高域フィルタのインピーダンスは、低域フィルタの通過帯域において低くなりやすい。
【００４５】
この問題を解消するには、複数のフィルタを接続した複合型フィルタ装置において、共通端子と高域フィルタとの間に、インピーダンスの位相を進める機能をもつ素子を接続すればよい。このような素子の接続により、共通端子側から見た高域フィルタのインピーダンスが、低域フィルタの通過帯域において、スミスチャート上で時計回りに回転して位相が進むようになる。これを用いて高域フィルタのインピーダンスをオープン状態まで進めれば、低域フィルタからの信号の回りこみを抑制することが可能となる。従って、上記構成（１）を有する複合型フィルタ装置によれば、低域フィルタの通過帯域の損失を改善することができる。なお、このとき上記素子を配線でも構成可能なインダクタとすれば、移相器を設ける場合に比べて複合型フィルタ装置の小型化も見込める。
【００４６】
このとき、上記素子の誘導成分が増えるほど、インピーダンスの位相も大きく進む。しかしながら、上記素子の誘導成分を増やすと、上記素子の挿入損失が増加する。上記素子は共通端子と高域フィルタが接続された入出力端子とを結ぶ経路上に設けられているため、上記素子の挿入損失が増えると上記経路を通過する信号の損失が大きくなり、高域フィルタの通過帯域の損失が増加する。
【００４７】
これに対して、本発明に係る複合型フィルタ装置は、上記素子の誘導成分に加えて、共通端子に最も近い並列腕共振器の誘導成分を用いて、インピーダンスの位相を進める。これにより、高域フィルタの通過帯域の損失を低減することが可能となる。
【００４８】
複数の並列腕共振器を備えるフィルタにおいて、フィルタの通過帯域および減衰帯域を容量性の帯域や誘導性の帯域とするのは、当該複数の並列腕共振器のうち共通端子に最も近い並列腕共振器の容量成分や誘導成分である。すなわち、誘導性の帯域となるのは、共通端子に最も近い並列腕共振器の共振周波数と反共振周波数との間の周波数帯域である。
【００４９】
したがって、共通端子に最も近い並列腕共振器の共振周波数が、低域フィルタの通過帯域において、通過帯域とする周波数のうち最も高い周波数である高域端周波数より低ければ、低域フィルタの通過帯域の一部が誘導性の帯域となる。すると、共通端子側から見た高域フィルタのインピーダンスが、低域フィルタの通過帯域において、スミスチャート上で時計回りに回転して位相が進む。このとき、低域フィルタの通過帯域中で誘導性となる帯域が増えるほど、すなわち、並列腕共振器の誘導成分が増えるほど、位相も大きく進む。
【００５０】
このように、上記素子の誘導成分と同時に並列腕共振器の誘導成分も用いて、高域フィルタのインピーダンスの位相を進めることができるため、上記素子の誘導成分を大きくせずとも、上記インピーダンスをオープン状態にまで高めることができる。従って、上記構成（１）に加えて（２）を有する複合型フィルタ装置によれば、低域フィルタの通過帯域の損失に加えて高域フィルタの通過帯域の損失も低減することができる。
【００５１】
また、誘導性の帯域となるのは、共通端子に最も近い並列腕共振器の共振周波数と反共振周波数との間の周波数帯域であるため、共通端子に最も近い並列腕共振器の共振周波数が低ければ低いほど、誘導性の帯域が広くなって誘導成分も大きくなる。すなわち、共通端子に最も近い並列腕共振器の共振周波数が他の並列腕共振器の共振周波数より低い場合には、他の並列腕共振器の共振周波数が共通端子に最も近い並列腕共振器より低い場合よりも、インピーダンスの位相をより大きく進めることができる。従って、上記構成（１）（２）に加えて（３）を有する複合型フィルタ装置によれば、複合型フィルタ装置の通過特性をより大きく改善することが可能となる。
【００５２】
ここで、上記構成（３）が奏する効果について、比較例１、２と対比して説明する。
まず比較例１に係る複合型フィルタ装置について説明する。比較例１に係る複合型フィルタ装置は、複合型フィルタ装置１２０に比べて、上記構成（３）を備えない点が異なる。
【００５３】
表１に上記各例に係る複合型フィルタ装置の受信用フィルタが備える並列腕共振器の共振周波数および反共振周波数の数値を示す。なお、表１においては、共通端子に最も近い並列腕共振器（図１では並列腕共振器２０６）をＰ１、２番目に近い並列腕共振器（図１では並列腕共振器２０７）をＰ２、３番目に近い並列腕共振器（図１では並列腕共振器２０８）をＰ３、４番目に近い並列腕共振器（図１では並列腕共振器２０９）をＰ４とする。
【００５４】
【表１】
2019029996.tif 000003
【００５５】
表１に示すように、比較例１に係る複合型フィルタ装置においては、並列腕共振器Ｐ１の共振周波数は、送信用フィルタの高域端周波数（１９１５ＭＨｚ）より低くなってはいるが、並列腕共振器Ｐ４よりは高くなっている。すなわち、比較例１に係る複合型フィルタ装置は、上記構成（３）は備えていない。
【００５６】
一方、実施例１に係る複合型フィルタ装置においては、並列腕共振器Ｐ１の共振周波数は、送信用フィルタの高域端周波数より低くなっており、かつ、並列腕共振器Ｐ１〜Ｐ４の中で最も低くなっている。すなわち、実施例１に係る複合型フィルタ装置は、上記構成（３）を備えている。
【００５７】
なお、並列腕共振器Ｐ１の反共振周波数については、実施例１、比較例１のいずれの例に係る複合型フィルタ装置においても、受信用フィルタの通過帯域（１９３０−１９９５ＭＨｚ）内に位置している。これは、並列腕共振器Ｐ１の反共振周波数が、受信用フィルタの通過帯域を形成するためである。
【００５８】
ここで、実施例１および比較例１にかかる複合型フィルタ装置において、反射特性（インピーダンス）、および、通過特性を比較する。なお、以降の説明に用いるスミスチャートでは５０Ωを特性インピーダンスとしている。このとき、特性インピーダンスで正規化した正規化インピーダンスが０＋０ｊとなる左端がショート状態（ショート）を示す。また、正規化インピーダンスがほぼ１＋０ｊとなる中心部がインピーダンス整合状態を示す。さらに、正規化インピーダンスの実数成分あるいは虚数成分の少なくとも一方が無限大（∞）となる右端がオープン状態（オープン）を示す。
【００５９】
図２は、比較例１に係る複合型フィルタ装置において、共通端子から受信用フィルタ単体を見たときのインピーダンスを示すスミスチャートである。同図は、共通端子と受信用フィルタとの間に設けられる直列インダクタ（図１ではインダクタ１４）のインダクタ値を４．７ｎＨとしたときの図である。
【００６０】
同図において、Ｂａｎｄ２５の受信通過帯域に適用される受信用フィルタのインピーダンスは、送信用フィルタが適用するＢａｎｄ２５の送信通過帯域の全域において、オープンから大きく外れている。
【００６１】
一方、図３は、実施例１に係る複合型フィルタ装置について、共通端子から受信用フィルタ単体を見たときのインピーダンスを示すスミスチャートである。本図においても、上記直列インダクタのインダクタ値は４．７ｎＨとしている。
【００６２】
同図において、受信用フィルタのインピーダンスは、送信用フィルタが適用されるＢａｎｄ２５の送信通過帯域において、比較例１と比べて時計回りに大きく回転している。すなわち、受信用フィルタのインピーダンスは、特にＢａｎｄ２５の送信通過帯域の高域端周波数（１９１５ＭＨｚ）付近においては、オープンとなっている。これは、実施例１に係る複合型フィルタ装置が上記構成（１）（２）に加えて（３）を備えることにより、Ｂａｎｄ２５の送信通過帯域のうち誘導性となる帯域が比較例１に比べて増えたためである。このように上記直列インダクタのインダクタ値を固定した場合に上記構成（３）を備えると、インピーダンスの位相をよりオープンに近づけることができる。
【００６３】
なお、上記構成（３）を備えずに、上記直列インダクタの誘導成分を増加させることで受信用フィルタのインピーダンスの位相を進めることもできるが、この場合には受信用フィルタの通過帯域の損失が悪化する。次にこの問題について、実施例１を比較例２と対比して説明する。
【００６４】
比較例２に係る複合型フィルタ装置は、比較例１より大きい６．２ｎＨのインダクタ値を有する直列インダクタを備える点で、比較例１と異なる。
【００６５】
図４は、比較例２に係る複合型フィルタ装置において、共通端子から受信用フィルタ単体を見たときのインピーダンスを示すスミスチャートである。同図においても、受信用フィルタのインピーダンスは、送信用フィルタが適用されるＢａｎｄ２５の送信通過帯域において、図３と同程度位相が進んでいる。
【００６６】
しかしながら比較例２の複合型フィルタ装置においては、直列インダクタの誘導成分が上記実施例１に係る複合型フィルタ装置より大きい。そのため、受信用フィルタの通過帯域における通過特性が、上記実施例１に係る複合型フィルタ装置の受信用フィルタの通過帯域における通過特性より劣化してしまう。
【００６７】
図５は、実施例１に係る複合型フィルタ装置の通過特性（鎖線）、および、比較例２に係る複合型フィルタ装置の通過特性（点線）を示す図である。具体的には、受信用フィルタを経由する経路の通過特性が示されており、共通端子から入力された信号に対する受信側端子から出力された信号の強度比（Ｓ２１）の絶対値である挿入損失が示されている。
【００６８】
同図の受信用フィルタの通過帯域（Ｂａｎｄ２５の受信通過帯域）において、比較例２に係る複合型フィルタ装置に着目すると、特にその中心周波数付近において損失が大きく劣化している。一方、実施例１に係る複合型フィルタ装置は、比較例２に係る複合型フィルタ装置に比べて低損失を実現できている。つまり、上記構成（１）（２）に加えて（３）を備えた複合型フィルタ装置によれば、インピーダンスの位相をある一定量進める場合に直列インダクタの誘導成分の大きさを低減できるため、受信用フィルタの通過帯域における損失もより低減できる。
【００６９】
以上のように、本実施例に係る上記構成（１）（２）（３）を有する複合型フィルタ装置によれば、複合型フィルタ装置が備える各フィルタの通過帯域の損失を低減させて、複合型フィルタ装置の通過特性を大きく改善することが可能となる。
【００７０】
以下、第１の実施形態の実施例１に係る複合型フィルタ装置１２０によって奏される他の効果について説明する。
【００７１】
複合型フィルタ装置１２０の送信用フィルタ１００においては、共通端子１２に最も近い共振器は直列腕共振器１０１となっている。
【００７２】
フィルタが備える共振器のうち並列腕共振器は、フィルタの低域側の減衰帯域を形成する共振器である。そのような共振器を送信用フィルタ１００において共通端子１２に最も近い共振器とすると、送信用フィルタ１００の高域側の減衰帯域の減衰特性が悪化する。すなわち、送信用フィルタ１００より高域である受信用フィルタ２００の通過帯域において、共通端子１２側から見た送信用フィルタ１００のインピーダンスはオープンより大きく外れるため、受信用フィルタ２００の通過帯域の損失が悪化する。損失を改善するには、インピーダンスの位相を進める機能をもつ素子を共通端子１２と送信用フィルタ１００との間に設け、インピーダンスを高めることが考えられる。
【００７３】
これに対して、本実施例に係る複合型フィルタ装置１２０の送信用フィルタ１００においては、フィルタの高域側の減衰帯域を形成する直列腕共振器を共通端子１２に最も近い共振器としている。そのため、上記素子を接続せずとも、送信用フィルタ１００の通過帯域より高域の周波数帯域におけるインピーダンスは高まる。すなわち、送信用フィルタ１００の通過帯域より高域である受信用フィルタ２００の通過帯域におけるインピーダンスも高まる。そのため、受信用フィルタ２００側からの漏洩信号の回り込みが抑制され、受信用フィルタ２００の損失は低減される。従って、本実施形態に係る複合型フィルタ装置１２０によれば、複合型フィルタ装置１２０のサイズを小型化できる。
【００７４】
〈実施例２〉
図６は本発明の第１の実施形態の実施例２に係る複合型フィルタ装置において、インダクタ１４と受信側端子１５とを結ぶ経路に設けられた受信用フィルタ２２０の回路構成を示す回路図である。同図に示すように、受信用フィルタ２２０では、共通端子１２に最も近い並列腕共振器２０６と並列腕共振器２０６に接続されたインダクタ２１６とを含む並列腕共振回路２６を備える。この受信用フィルタ２２０以外の回路構成は、実施例１に係る複合型フィルタ装置１２０の回路構成と同じである。
【００７５】
インダクタ２１６を含む並列腕共振回路２６を形成することにより、実施例２に係る複合型フィルタ装置においては、並列腕共振回路２６に含まれる並列腕共振器Ｐ１の共振周波数が実施例１に係る複合型フィルタ装置より低域側にシフトしている。例えば表１では、共通端子１２に最も近い並列腕共振器Ｐ１（図６の並列腕共振器２０６）を含む並列腕共振回路２６の共振周波数が、送信用フィルタ１００の通過帯域とする周波数のうち最も低い周波数である低域端周波数（１８５０ＭＨｚ）より低くなっている。これにより、並列腕共振回路２６の誘導成分が実施例１に係る複合型フィルタ装置に比べて大きくなり、共通端子側から見た高域フィルタのインピーダンスの位相をよりオープン近くまで進めることができる。
【００７６】
図７は、実施例２に係る複合型フィルタ装置について、共通端子から受信用フィルタ単体を見たインピーダンスを示すスミスチャートである。本図において、共通端子と受信用フィルタとの間に設けられた直列インダクタのインダクタ値は、実施例１と同じ４．７ｎＨとしている。同図において、受信用フィルタのインピーダンスは、Ｂａｎｄ２５の送信通過帯域の高域端周波数だけでなく、低域端周波数においても、オープン付近にまで回転している。これは、上記構成（１）〜（３）に加えてさらに、並列腕共振器Ｐ１の共振周波数がＢａｎｄ２５の送信通過帯域の低域端周波数より低い、という構成を備えるために、Ｂａｎｄ２５の送信通過帯域全域が誘導性となっているためである。
【００７７】
このように、受信用フィルタのインピーダンスが送信用フィルタの通過帯域においてオープンに近づくほど、送信用フィルタ側から漏洩する信号の回り込みが抑制され、送信用フィルタの通過帯域における通過特性を改善できる。
【００７８】
図８は、実施例１に係る複合型フィルタ装置の通過特性（鎖線）、実施例２に係る複合型フィルタ装置の通過特性（実線）、および、比較例１に係る複合型フィルタ装置の通過特性（点線）を示した図である。具体的には、送信用フィルタを経由する経路の通過特性が示されており、送信側端子から入力された信号に対する共通端子から出力された信号の強度比（Ｓ１２）の絶対値である挿入損失が示されている。
【００７９】
同図に示すように、実施例２に係る複合型フィルタ装置は、送信用フィルタの通過帯域（Ｂａｎｄ２５の送信通過帯域）において、実施例１に係る複合型フィルタ装置に比べて良好な通過特性を示している。また、実施例１および実施例２に係る複合型フィルタ装置は、図３、７で示したとおり、共通端子側から見た受信用フィルタのインピーダンスが送信通過帯域の少なくとも一部においてオープンとなるため、比較例１に係る複合型フィルタ装置より低損失な通過特性を実現できている。
【００８０】
以上のように、本実施例に係る複合型フィルタ装置によれば、複合型フィルタ装置が備えるフィルタの通過帯域における損失をさらに低減し、複合型フィルタ装置の通過特性をより改善することが可能となる。
【００８１】
また、実施例２に係る複合型フィルタ装置において、受信用フィルタ２２０の並列腕共振回路２６が備えるインダクタ２１６は、並列腕共振器２０６と、並列腕共振器２０６が接続された基準端子とを結ぶ経路上のみに設けられている。すなわち、共通端子に最も近い直列腕回路（直列腕共振器）２０１と受信側端子１５とを結ぶ経路上のノードと接続された他の並列腕共振器２０７〜２０９のいずれにも、インダクタ２１６は接続されていない。
【００８２】
共通端子１２に最も近い並列腕共振回路２６が有するインダクタ２１６が、並列腕共振器２０６だけでなく、他の並列腕共振器２０７〜２０９のいずれかにも接続されていた場合、各共振器に加わるインダクタ２１６の誘導成分は、インダクタ２１６が電気回路上の特定位置にある一共振器のみに接続される場合に比べて、減少してしまう。
【００８３】
これに対して上記構成によれば、共通端子１２に最も近い並列腕共振回路２６が備える並列腕共振器２０６のみにインダクタ２１６の誘導成分が加わるため、並列腕共振器２０６にかかる誘導成分が大きくすることができる。従って、受信用フィルタ２００のインピーダンスは、送信用フィルタ１００の通過帯域において、スミスチャート上で位相がより大きく進んでオープンに近づくなるため、送信用フィルタ１００の通過帯域の損失がより低減できる。
【００８４】
〔変形例〕
以下、本実施例の変形例に係る複合型フィルタ装置について図９を参照して説明する。なお、変形例に係る複合型フィルタ装置はいずれも、本実施例に係る複合型フィルタ装置に比べて受信用フィルタの回路構成が以下のとおり異なる。
【００８５】
（変形例１）
図９（Ａ）は、本実施例の変形例１に係る複合型フィルタ装置１２０の受信用フィルタ２３０の回路構成を示す回路図である。同図では、並列腕共振器２０６が、２つの並列腕共振器２０６Ａ、２０６Ｂから構成されている。このように、本発明に係る複合型フィルタ装置が備える共振器は、その共振器が接続されたノードと、その共振器が接続された基準端子とを結ぶ経路に接続された複数の共振子から構成されていてもよい。
【００８６】
なお、同図のように共通端子１２に最も近い並列腕共振器２０６が複数の共振子から構成されていた場合には、複数の共振子のうち少なくとも１つの共振子の共振周波数が、他の並列腕共振器より低ければよい。
【００８７】
（変形例２）
図９（Ｂ）は、本実施例の変形例２に係る複合型フィルタ装置１２０の受信用フィルタ２４０回路構成を示す回路図である。同図では、共通端子１２に最も近い並列腕共振器２０６と並列腕共振回路２６を構成するインダクタ２１６が、共通端子１２に２番目に近い並列腕共振器２０７とも接続されている。
【００８８】
本変形例のように、インダクタ２１６は、共通端子１２に２番目以降に近い並列腕共振器２０７〜２０９にも接続されていてもよい。このような複合型フィルタ装置１２０によればインダクタ２１６にから並列腕共振器２０６に加わる誘導成分は少なくなるものの、本発明の効果は充分に奏される。
【００８９】
《第２の実施形態》
本発明の第２の実施形態に係る複合型フィルタ装置について、Ｂａｎｄ２５およびＢａｎｄ１（受信通過帯域：２１１０ＭＨｚ−２１７０ＭＨｚ）に適用されるトリプレクサを例に、図１０を参照して説明する。
【００９０】
図１０は、本発明の第２の実施形態に係る複合型フィルタ装置１３０の回路構成を示す、回路図である。同図に示す複合型フィルタ装置１３０は、第１の実施形態の実施例２に係る複合型フィルタ装置１２０に比べて、さらにインダクタ３４と受信側端子３５と受信用フィルタ３００とを備える。
【００９１】
受信用フィルタ３００は、アンテナ素子（不図示）等から受信した受信信号を、Ｂａｎｄ２５の通過帯域（１９３０−１９９５ＭＨｚ）より高いＢａｎｄ１の通過帯域（２１１０ＭＨｚ−２１７０ＭＨｚ）でフィルタリングするバンドパスフィルタである。このとき受信信号は、共通端子１２から受信用フィルタ３００へと入力され、受信側端子３５へ出力される。共通端子１２と受信側端子３５とを結ぶ経路上において受信用フィルタ３００と共通端子１２との間には、インダクタ３４が設けられている。
【００９２】
受信用フィルタ２２０と同様に、受信用フィルタ３００は、直列腕共振器３０１〜３０４と並列腕共振器３０６〜３０９とを備える。本図では直列腕回路は全て直列腕共振器となっているが、例えば縦結合型フィルタ部などを用いてもよい。
【００９３】
直列腕共振器３０１〜３０４は、共通端子１２と受信側端子３５とを結ぶ経路上に設けられている。並列腕共振器３０６〜３０９は、共通端子１２と受信側端子３５とを結ぶ経路上のノードと、基準端子とを結ぶ経路上に設けられている。
【００９４】
並列腕共振器３０６は、直列腕共振器３０１〜３０４のうち共通端子１２に最も近い直列腕共振器３０１とインダクタ３４とを結ぶ経路上のノードと基準端子とを結ぶ経路上に設けられている。並列腕共振器３０７〜３０９は直列腕共振器３０１と受信側端子３５とを結ぶ経路上のノードと基準端子とを結ぶ経路上にそれぞれ設けられている。すなわち、受信用フィルタ３００が備える複数の共振器のうち共通端子１２に最も近い共振器は、並列腕共振器３０６となっている。この並列腕共振器３０６、並列腕共振器３０６と基準端子とに接続されたインダクタ３１６とにより、並列腕共振回路３６が形成されている。
【００９５】
並列腕共振回路３６の共振周波数は、インダクタ３１６により並列腕共振器３０６単体の共振周波数より低域側にシフトされている。これにより、並列腕共振回路３６の共振周波数は、３つのフィルタのうち最も低域にある送信用フィルタ１００の通過帯域の高域端周波数（１９１５ＭＨｚ）より低く位置し、かつ、並列腕共振器３０７〜３０９より低くなっている。また、並列腕共振回路３６の反共振周波数は、受信用フィルタ３００の通過帯域（２１１０ＭＨｚ−２１７０ＭＨｚ）内に位置している。
【００９６】
このような並列腕共振回路３６を備える受信用フィルタ３００においては、送信用フィルタ１００の通過帯域の少なくとも一部、および、送信用フィルタ１００より高い周波数帯域にある受信用フィルタ２００の通過帯域の全域が、誘導性の帯域となる。そのため、並列腕共振回路３６を用いて、共通端子１２から見た受信用フィルタ３００のインピーダンスを、送信用フィルタ１００および受信用フィルタ２２０の通過帯域において、スミスチャート上で時計回りに大きく回転させて位相を進めることが可能となる。すなわち、受信用フィルタ３００の損失を大きく悪化させずに、送信用フィルタ１００および受信用フィルタ２２０の通過帯域の損失を低減することができる。
【００９７】
さらにこのとき、並列腕共振回路３６の共振周波数が送信用フィルタ１００の通過帯域の低域端周波数（１８７０ＭＨｚ）よりも低くなっていれば、受信用フィルタ２２０の通過帯域全域に加えて、送信用フィルタ１００の通過帯域の全域も誘導性の帯域となる。これにより、共通端子１２から見た受信用フィルタ３００のインピーダンスを、送信用フィルタ１００の通過帯域においてより大きく進めることができるため、送信用フィルタ１００および受信用フィルタ２２０の通過帯域の損失をより低減することができる。
【００９８】
上記のようなトリプレクサにおいては、３つのフィルタのうち最も高域の通過帯域を有するフィルタに本発明の構成を適用すれば、そのフィルタより低域の通過帯域を有する複数のフィルタからの信号の回りこみを抑制できる。すなわち上記構成によれば、複合型フィルタ装置が３以上のフィルタを備えている場合にも、複合型フィルタ装置の低損失性を実現することができる。
【００９９】
なお、上記第１の実施形態及び第２の実施形態で説明した複合型フィルタ装置１２０、１３０は、当該複合型フィルタ装置１２０、１３０を備える高周波フロントエンド回路や通信装置に適用することができる。そこで、以降では、このような高周波フロントエンド回路や通信装置について、第２の実施形態に係る複合型フィルタ装置を備える構成を例に説明する。
【０１００】
図１１は、複合型フィルタ装置１３０を備えた高周波フロントエンド回路１０、および、高周波フロントエンド回路１０を備えた通信装置１の構成を示す構成図である。同図には、複合型フィルタ装置１３０と増幅回路４とで構成される高周波フロントエンド回路１０と、アンテナ素子２と、ＲＦ信号処理回路（ＲＦＩＣ）３とが示されている。高周波フロントエンド回路１０及びＲＦＩＣ３は、通信装置１を構成している。アンテナ素子２、高周波フロントエンド回路１０、及びＲＦＩＣ３は、例えば、マルチモード／マルチバンド対応の携帯電話のフロントエンド部に配置される。
【０１０１】
アンテナ素子２は、高周波信号を送受信する、例えばＬＴＥ等の通信規格に準拠したマルチバンド対応のアンテナである。なお、アンテナ素子２は、例えば通信装置１の全バンドに対応しなくてもよく、低周波数帯域群または高周波数帯域群のバンドのみに対応していてもよい。また、アンテナ素子２は、通信装置１に内蔵されていてもかまわない。
【０１０２】
ＲＦＩＣ３は、アンテナ素子２で送受信される高周波信号を処理するＲＦ信号処理回路である。具体的には、ＲＦＩＣ３は、アンテナ素子２から高周波フロントエンド回路１０の受信側信号経路および送信側信号経路を介して入力された高周波信号を、ダウンコンバートなどにより信号処理し、当該信号処理して生成された受信信号をベースバンド信号処理回路（不図示）へ出力する。また、ＲＦＩＣ３は、ベースバンド信号処理回路から入力された送信信号をアップコンバートなどにより信号処理し、当該信号処理して生成された高周波信号を高周波フロントエンド回路１０の送信側信号経路に出力する。
【０１０３】
高周波フロントエンド回路１０は、アンテナ素子２とＲＦＩＣ３との間で高周波信号を伝達する回路である。具体的には、高周波フロントエンド回路１０は、ＲＦＩＣ３から出力された高周波信号を、送信側信号経路を介してアンテナ素子２に伝達する。また、高周波フロントエンド回路１０は、アンテナ素子２で受信された高周波信号を、受信側信号経路を介してＲＦＩＣ３に伝達する。
【０１０４】
高周波フロントエンド回路１０は、アンテナ素子２側から順に、複合型フィルタ装置１３０と、増幅回路４とを備える。
【０１０５】
増幅回路４は、複合型フィルタ装置１３０またはＲＦＩＣ３から入力された高周波信号を電力増幅する増幅器４３、４５、５５によって構成される。本実施形態では、送信側端子１３に接続された増幅器４３はパワーアンプ、受信側端子１５、３５に接続された増幅器４５、５５はローノイズアンプとなっている。
【０１０６】
なお、高周波フロントエンド回路１０は、例えば、送信と受信とを切り替えるスイッチ、あるいは、複合型フィルタ装置を構成する複数のフィルタでローノイズアンプを共有するためのスイッチを備えていてもよい。
【０１０７】
このように構成された高周波フロントエンド回路１０は、アンテナ素子２から入力された高周波信号を、受信用フィルタ２２０または３００でフィルタリングし、かつ、増幅器４５、５５で増幅して、ＲＦＩＣ３に出力する。または、ＲＦＩＣ３から入力された高周波信号を、増幅器４３で増幅し、かつ、送信用フィルタ１００でフィルタリングして、アンテナ素子２に出力する。なお、低域のバンド（ここではＢａｎｄ２５）に対応するＲＦＩＣと高域のバンド（ここではＢａｎｄ１）に対応するＲＦＩＣとは、個別に設けられていてもよい。
【０１０８】
このように、高周波フロントエンド回路１０は、第２の実施形態に係る複合型フィルタ装置１３０を備えることにより、良好な電気特性を得ることができる（損失を抑制できる）マルチバンド対応の高周波フロントエンド回路を実現できる。
【０１０９】
なお、高周波フロントエンド回路は、第１の実施形態の実施例１、２や該実施例２の変形例１、２に係る複合型フィルタ装置を備える構成であってもかまわない。また、本実施形態では、送信側信号経路および受信側信号経路の双方に接続される複合型フィルタ装置が設けられた構成について説明した。しかし、高周波フロントエンド回路の構成はこれに限らず、受信側信号経路または送信側信号経路のいずれかに複合型フィルタ装置が接続された構成であってもよい。
【０１１０】
今回開示された各実施の形態は、矛盾しない範囲で適宜組み合わされて実施されることも予定されている。今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１１】
１２  共通端子、１３  送信側端子、１４  インダクタ、１５  受信側端子、１６〜１９  並列腕共振回路、１００  送信用フィルタ、１０１〜１０５，２０１〜２０４  直列腕共振器、１０６〜１０９，２０６〜２０９  並列腕共振器、１２０  複合型フィルタ装置、２００  受信用フィルタ。
【図１】
2019029996.tif 000004
【図２】
2019029996.tif 000005
【図３】
2019029996.tif 000006
【図４】
2019029996.tif 000007
【図５】
2019029996.tif 000008
【図６】
2019029996.tif 000009
【図７】
2019029996.tif 000010
【図８】
2019029996.tif 000011
【図９】
2019029996.tif 000012
【図１０】
2019029996.tif 000013
【図１１】
2019029996.tif 000014